(57)【要約】【課題】放送番組に応じた好適な映像を表示画面に表示させる。【解決手段】本実施形態において、放送信号は放送番組の映像データまたは表示データとＰＳＩまたはＳＩを含み、このＰＳＩまたはＳＩは識別情報を含む。そしてこの識別情報が第１と第２の表示画面のうちで上記映像データまたは表示データを表示させる表示画面を指定する。  ここで受信装置が上記放送信号を受信すると、上記の識別情報の内容を判別する。そして識別情報が第１の表示画面を示す場合には、映像データまたは表示データを受信装置が表示する。一方で識別情報が前記第２の表示画面を示す場合には、映像データまたは表示データを受信装置から外部装置に送信する。【選択図】図１
2020018020.tif 000002
【特許請求の範囲】
【請求項１】
受信部と表示部と通信部とを備える受信装置において、
放送信号は放送番組の映像データとＰＳＩまたはＳＩを含み、
第１及び第２の表示画面のうち前記映像データを表示させる表示画面を示す識別情報が、前記ＰＳＩまたは前記ＳＩ内に含まれ、
前記第１の表示画面と前記第２の表示画面の両方に前記映像データの表示が可能であり、
前記受信部が前記放送信号を受信し、
前記識別情報が前記第１の表示画面を示す場合、前記映像データを前記表示部に表示し、
前記識別情報が前記第２の表示画面を示す場合、前記映像データを前記通信部から外部装置に送信する受信装置。
【請求項２】
放送信号は放送番組の映像データとＰＳＩまたはＳＩを含み、
第１及び第２の表示画面のうち前記映像データを表示させるべき表示画面を示す識別情報が、前記ＰＳＩまたは前記ＳＩ内に含まれ、
前記第１の表示画面と前記第２の表示画面の両方に前記映像データの表示が可能であり、
受信装置が前記放送信号を受信し、
前記識別情報が前記第１の表示画面を示す場合、前記映像データを前記受信装置に表示し、
前記識別情報が前記第２の表示画面を示す場合、前記映像データを前記受信装置から外部装置に送信する受信方法。
【請求項３】
放送番組の映像データとＰＳＩまたはＳＩとを含む放送信号を送信する放送信号の送信方法において、
前記ＰＳＩまたは前記ＳＩが識別情報を含み、
第１及び第２の表示画面のうち前記映像データを表示させるべき表示画面を前記識別情報が示し、
前記第１の表示画面と前記第２の表示画面の両方に前記映像データの表示が可能であり、
前記識別情報が前記第１の表示画面を示す場合には、前記映像データを受信装置に表示させ、
前記識別情報が前記第２の表示画面を示す場合には、前記映像データを前記受信装置から外部装置に送信させる放送信号の送信方法。
【発明の詳細な説明】
【技術分野】
【０００１】
本発明の実施形態は、受信装置および受信方法、放送信号の送信方法に関する。
【背景技術】
【０００２】
放送番組の映像データと共にデータ放送用のデータを受信し、ユーザが選局した番組に応じたデータ放送の情報を表示画面に表示させる技術がある。
【先行技術文献】
【特許文献】
【０００３】
【特許文献１】特開２０１０−２５８８４９号公報
【発明の概要】
【発明が解決しようとする課題】
【０００４】
ここでユーザが、放送番組の映像を表示する画面とは別の画面も視聴している場合、これらの画面に放送番組に応じた好適な情報を表示できることが好ましい。
そこで本発明の実施形態は、放送番組に応じた好適な映像を表示画面に表示させることができる受信装置および受信方法、放送信号の送信方法の提供を目的とする。
【課題を解決するための手段】
【０００５】
上記の課題を解決するために、実施形態の受信装置は受信部と表示部と通信部から構成され、上記受信部で放送信号を受信する。
またこの放送信号は放送番組の映像データまたは表示データとＰＳＩまたはＳＩを含み、このＰＳＩまたはＳＩが識別情報を含む。ここでこの識別情報は、第１及び第２の表示画面のうち前記映像データまたは表示データを表示させる表示画面を示す。
そして前記識別情報が前記第１の表示画面を示す場合には、上記の表示部に映像データまたは表示データを表示する。また前記識別情報が第２の表示画面を示す場合には、映像データまたは表示データを上記通信部から外部装置に送信する。
【図面の簡単な説明】
【０００６】
【図１】実施形態の受信装置の利用形態例を示す図。
【図２】実施形態の受信装置及び情報端末のシステム構成例を示す図。
【図３】実施形態の受信装置が表示する設定画面例を示す図。
【図４】実施形態の受信装置が受信するデータのデータ構成例を示す図。
【図５】実施形態の受信装置が受信するデータのデータ構成例と、受信装置及び情報端末が表示する画面例とを示す図。
【図６】実施形態の受信装置が表示する画面例を示す図。
【図７】実施形態の受信装置による設定処理に係る処理フローを示す図。
【図８】実施形態の受信装置によるデータ受信に係る処理フローを示す図。
【図９】実施形態の情報端末によるデータ受信に係る処理フローを示す図。
【発明を実施するための形態】
【０００７】
以下、図面を参照して実施形態を説明する。
図１は本実施形態に係る受信装置の利用形態例を示す図である。本実施形態に係る受信装置は、例えばテレビ装置４００として実現されている。ここで、放送基地局１００は例えば放送番組の放送信号を送信する放送基地局であり、例えばＭＰＥＧ２−ＴＳ形式のストリームとしてチャンネル毎の映像データ等を送信する。また放送基地局１００は、放送チャンネル毎の表示データを例えばＨＴＭＬやＣＳＳ、ＪａｖａＳｃｒｉｐｔ（登録商標）等の形式で記述されたデータとして送信する。
【０００８】
サーバ装置２００は、放送基地局１００が送信する放送チャンネル毎の表示データを送信する。なお本実施形態において放送チャンネル毎の表示データは、放送基地局１００が放送信号に重畳させて送信されるものであっても、サーバ装置２００からネットワークを経由して送信されるものであっても、またはこれら両方から送信されるものであってもよい。また表示データの内容としては、例えば放送番組の内容に関連する情報（例えば、出演者情報、関連番組情報、放送信号のＭＰＥＧ２−ＴＳに搭載されない言語の字幕等）や、放送信号からの映像データに重畳させることで高画質化させることができる追加映像データ等が挙げられる。なお本実施形態においては、表示データという言葉を用いて説明を行うが、表示データは表示画面に文字及び画像等の映像を表示させるためのデータであり、映像データの一種として考えてもよい。
【０００９】
なお、放送信号に重畳されるストリームには、映像や音声毎のＥＳ（Ｅｌｅｍｅｎｔａｒｙ  Ｓｔｒｅａｍ）や、これらＥＳに関するＰＳＩ（Ｐｒｏｇｒａｍ  ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）が含まれる。そして当該ＰＳＩ／ＳＩには、例えば出力装置情報が含まれる。なお出力装置情報は、放送基地局１００及びサーバ装置２００等から送信される表示データを表示させる画面を示す識別子や、当該出力装置情報のパケットが搭載されているＴＳストリームの映像データを表示させる画面を示す識別子等を含んでいる。また出力装置情報は、当該出力装置情報のパケットが搭載されているＴＳストリームに複数の映像ストリームが重畳されている場合、夫々の映像ストリームを表示させる画面を示す識別子を含んでいても良い。
【００１０】
出力装置情報の例としては、例えば、ＰＳＩ／ＳＩに、出力情報テーブル（ＯＩＴ：Ｏｕｔｐｕｔ  ｄｅｖｉｃｅ  Ｉｎｆｏｒｍａｔｉｏｎ  Ｔａｂｌｅ）などのテーブルを用意する、または、ＤＶＢ（Ｄｉｇｉｔａｌ  Ｖｉｄｅｏ  Ｂｒｏａｄｃａｓｔｉｎｇ）のＴＳ  １０２  ８０９に定義されているＡＩＴ（Ａｐｐｌｉｃａｔｉｏｎ  Ｉｎｆｏｒｍａｔｉｏｎ  Ｔａｂｌｅ）のような既存のテーブルに出力装置情報として“受信装置（第１画面）に出力／外部装置（第２画面）に出力／受信装置と外部装置の両方に出力”などをｄｅｓｃｒｉｐｔｏｒとして定義することが考えられる。さらに、別の出力装置情報の例については図４を参照して後述する。
【００１１】
テレビ装置４００は、映像データ及び表示データを放送基地局１００及びサーバ装置２００等から受信すると、当該データが第１画面用のデータであるか第２画面用のデータであるかを出力装置情報等に基づいて判別する。そしてテレビ装置４００は、第１画面用のデータを表示し、第２画面用のデータを外部装置（本実施形態においては情報端末５００）に出力する。またテレビ装置４００は、放送信号に重畳されたあるチャンネルのＴＳストリームの出力装置情報に出力画面についての識別子が含まれる場合、当該識別子に基づいて映像データ及び表示データを自装置用と外部装置用とに分離し、夫々の装置に表示させる。テレビ装置４００は、第１画面や第２画面に表示される放送番組の映像データや表示データ等のデータ（表示情報）を、放送信号やサーバ装置２００からの信号に含まれる識別情報に基づいて分離して、第１画面及び第２画面に表示させる。
【００１２】
なお、本実施形態において、第１画面は例えば放送信号を受信する装置（テレビ装置４００）の表示画面を、第２画面は例えば放送信号を受信する装置と通信可能な外部装置（情報端末）を指すが、第１画面と第２画面に対応する画面は必ずしもこれに限るものではない。つまり、例えばテレビ装置４００の表示画面を２つの領域に分割してこれらを第１画面及び第２画面としてもよい。
【００１３】
図２はテレビ装置４００及び情報端末５００のシステム構成例を示す図である。本実施形態においてテレビ装置４００と情報端末５００とは、例えば直接通信やホームネットワーク経由の通信により接続可能となっている。
【００１４】
まずテレビ装置４００のシステム構成例を説明する。テレビ装置４００は、チューナ４０１、デマルチプレクサ４０２、通信部４０３、制御部４０４、ブラウザ部４０５、ＨＴＴＰサーバ部４０６、記憶部４０７、映像デコード部４０８、ＧＵＩ処理部４０９、表示処理部４１０、表示部４１１等を備える。
【００１５】
チューナ４０１は放送信号を受信する受信部であり、デマルチプレクサ４０２は、受信された放送信号に重畳された各種データを分離する分離部である。デマルチプレクサ４０２は、放送信号に重畳された映像データを映像デコード部４０８に、音声データを音声デコード部（不図示）に、出力装置情報及び表示データを制御部４０４に出力する。
【００１６】
なおデマルチプレクサ４０２は、放送信号に出力装置情報が含まれ、また当該出力装置情報に、映像データの出力装置（表示先の画面）に関する識別子が含まれている場合、当該識別子に基づいたモジュールに映像データを出力しても良い。即ち、例えば放送信号のＴＳにメイン映像のストリームとサブ映像（字幕等）のストリームが含まれ、サブ映像のストリームに第２画面を示す識別子が対応付けられている場合、デマルチプレクサ４０２は、当該サブ映像ストリームを制御部４０４に出力してもよい。なおこの場合にサブ映像ストリームは制御部４０４の制御により情報端末５００に送信される。
【００１７】
通信部４０３は外部装置との通信を実行する。ここで通信部４０３は、サーバ装置２００から表示データを受信しても良い。そして通信部４０３は、表示データを受信した場合には当該表示データを制御部４０４に出力する。また通信部４０３は、制御部４０４から映像データ及び表示データとアドレスとが入力されると、当該データを当該アドレス宛に送信する。
【００１８】
制御部４０４は、出力装置情報と映像データ及び表示データとが入力されると、当該データを出力装置情報に基づいた画面に出力させるよう制御する。即ち制御部４０４は、第１画面用であると出力装置情報に示される映像データ及び表示データを映像でコード部４０８またはＧＵＩ処理部４０９に出力し、第２画面用であると出力装置情報に示される映像データ及び表示データを通信部４０３から情報端末５００に送信させる。
【００１９】
なお制御部４０４は、入力される映像データ及び表示データに所定識別子が含まれる場合に、当該識別子を所定の画面に出力させるようにしても良い。即ち、前述の出力装置情報が入力されない場合であっても、映像データ及び表示データに含まれる所定識別子に基づいて、当該データが何れの画面用であるかを判別し、出力先の画面を選択・決定する。
【００２０】
ここで制御部４０４はブラウザ部４０５を備え、当該ブラウザ部４０５は、ＨＴＭＬ、ＣＳＳ，ＪａｖａＳｃｒｉｐｔ（登録商標）形式で記述されたファイルデータを解析／処理する。そしてブラウザ部４０５は、ひとつのファイルデータ中に第１画面用と第２画面用の表示データが含まれる場合、これらを抽出・分離する。またブラウザ部４０５は、第１画面用の表示データ中に、表示画面に表示すべき映像のインターネットアドレスが含まれる場合、通信部４０３を用いて当該アドレスからデータを取得する。そしてブラウザ部４０５は、取得したデータを映像デコード部４０８またはＧＵＩ処理部４０９に出力する。
【００２１】
また制御部４０４は、第２画面用の映像データ及び表示データを表示させる装置を選択する。ここで制御部４０４は、映像データ及び表示データの送信先として例えば予め登録された装置を選択しても良いし、あるいは送信先の装置を選択させるための設定画面を表示し、当該画面に対するユーザ操作に基づいて装置を選択しても良い。そして制御部４０４は、送信先として選択した装置のアドレスと映像データ及び表示データとを通信部４０３に出力する。
【００２２】
ＨＴＴＰサーバ部４０６は、一般的なＷｅｂサーバ機能を有するモジュールである。ＨＴＴＰサーバ部４０６は、ブラウザ部４０５からの要求に応じて、記憶部４０７に記憶したデータを当該ブラウザ部４０５に出力する。
【００２３】
記憶部４０７は、映像データ及び表示データを記憶する機能を有する。なお映像データ及び表示データの記憶については図８を参照して後述する。
映像デコード部４０８は、デマルチプレクサ４０２やブラウザ部４０５から入力された映像データをデコードする。またＧＵＩ処理部４０９は、制御部４０４から入力されたＨＴＭＬ、ＣＳＳ、ＪａｖａＳｃｒｉｐｔ（登録商標）形式等で記述された表示データから、表示処理部４１０が処理可能な形式の表示データを生成する。
【００２４】
そして表示処理部４１０は、映像デコード部４０８がデコードした映像データとＧＵＩ処理部４０９が生成した表示データとを重畳し、重畳したデータを表示部４１１が表示可能な形式の映像信号に変換する。そして表示部４１１は当該映像信号を用いて映像を表示する。
【００２５】
次に情報端末５００を説明する。情報端末５００は、通信部５０１、制御部５０２、ブラウザ部５０３、記憶部５０４、映像デコード部５０５、ＧＵＩ処理部５０６、表示処理部５０７、表示部５０８等を備える。
【００２６】
通信部５０１は、テレビ装置４００から送信された第２画面用の映像データ及び表示データ及び第２画面用の映像データ及び表示データを受信し、制御部５０２に出力する。
【００２７】
制御部５０２は、ブラウザ部５０３を備え、第２画面用のＨＴＭＬ、ＣＳＳ、ＪａｖａＳｃｒｉｐｔ（登録商標）形式等の表示データが入力されると、当該表示データをＧＵＩ処理部５０６に出力するとともにデータの内容を解析／処理する。そして制御部５０２は、表示データ中に、表示画面に表示すべき映像のインターネットアドレスが含まれる場合、通信部５０１を用いて当該アドレスからデータを取得し、映像デコード部５０５またはＧＵＩ処理部５０６に出力する。また制御部５０２は、通信部５０１から映像データのストリームが入力されると、当該データを映像デコード部５０５に出力する。
【００２８】
記憶部５０４は、映像データ及び表示データを記憶する機能を有する。当該記憶機能については図１０にて説明する。
映像デコード部５０５は、制御部５０２から入力された映像データをデコードする。またＧＵＩ処理部５０６は、制御部５０２から入力されたＨＴＭＬ、ＣＳＳ、ＪａｖａＳｃｒｉｐｔ（登録商標）形式等の表示データから、表示処理部５０７が処理可能な形式の表示データを生成する。
【００２９】
そして表示処理部５０７は、映像デコード部５０５がデコードした映像データとＧＵＩ処理部５０６が生成した表示データとを重畳し、重畳したデータを表示部５０８が表示可能な形式の映像信号に変換する。そして表示部５０８は当該映像信号を用いて映像を表示する。
【００３０】
図３は、テレビ装置４００が表示する表示設定画面の画面例である。テレビ装置４００の制御部４０４は、当該設定画面を表示部４１１に表示させる。そして当該設定画面に対するユーザからの操作入力に基づいて、放送信号やネットワークから受信する映像データ及び表示データを表示させる画面（装置）を選択する。
【００３１】
図３の画面においては、「受信装置（第１画面）のみ」、「外部装置（第２画面）のみ」、及び「受信装置と外部装置の両方」のうち何れかひとつの設定を選択可能となっている。ここで、「受信装置（第１画面）のみ」は、放送信号を受信する装置（テレビ装置４００）にのみ映像データ及び表示データを表示させる設定である。また「外部装置（第２画面）のみ」は、テレビ装置に通信接続された外部装置（情報端末５００）にのみ映像データ及び表示データを表示させる設定である。そして「受信装置と外部装置の両方」は、これらのどちらの装置（どちらの画面）にも映像データ及び表示データを表示させる設定である。
【００３２】
図４は、放送基地局１００が放送信号に重畳させる出力装置情報のデータ構成例を示す図である。図４（Ａ）の例では、表示データａａａ．ｔｘｔとｂｂｂ．ｔｘｔとｃｃｃ．ｔｘｔとｄｄｄ．ｔｘｔとについて、夫々表示画面とチャンネルとが対応付けて示されている。なおこれらの表示データは夫々放送信号に重畳されていてもよく、この場合にテレビ装置４００は、チューナ４０１で表示データを受信する。あるいはテレビ装置４００は、表示データを取得するためのアドレスをチャンネル毎に記憶し、チャンネルを選局した場合に当該アドレスから表示データを受信しても良い。
【００３３】
またこれらのテキストデータは、例えばＨＴＭＬやＣＳＳ、ＪａｖａＳｃｒｉｐｔ（登録商標）等の形式で記述されている。なお表示データのファイル形式はテキスト形式に限らない。また、テキストデータ以外の映像ストリームなども同様に出力装置情報に基づいて出力先の画面が判定され、判定結果に応じて出力される。即ち図４（Ａ）の出力装置情報においては、放送波に重畳されている放送番組の映像ストリーム毎に、これらストリームの映像を表示させる画面についての情報が対応付けられていても良い。
【００３４】
ここで、ａａａ．ｔｘｔとｃｃｃ．ｔｘｔは夫々チャンネル１に関連する表示データであり、ａａａ．ｔｘｔは第１画面用の表示データ、ｃｃｃ．ｔｘｔは第２画面用の表示データである。つまりテレビ装置４００の表示データの表示設定が、図３の「受信装置と外部装置の両方」になっている場合、テレビ装置４００はａａａ．ｔｘｔに基づいた映像を自装置の表示画面に表示させ、ｃｃｃ．ｔｘｔを情報端末５００に送信して当該ｃｃｃ．ｔｘｔに基づいた映像を表示させる。
【００３５】
また、テレビ装置４００の表示設定が図３の「受信装置（第１画面）のみ」になっている場合、テレビ装置４００はａａａ．ｔｘｔに基づいた映像を自装置の表示画面に表示させるが、ｃｃｃ．ｔｘｔを情報端末５００に送信しない。そして、テレビ装置４００の表示設定が図３の「外部装置（第２画面）のみ」になっている場合、テレビ装置４００は、ｃｃｃ．ｔｘｔを情報端末５００に送信して当該データの映像を表示させるが、ａａａ．ｔｘｔに基づいた映像を自装置の表示画面に表示させない。
【００３６】
また、ｂｂｂ．ｔｘｔとｄｄｄ．ｔｘｔは夫々チャンネル２に関連する表示データであり、ｂｂｂ．ｔｘｔは第１画面用の表示データ、ｄｄｄ．ｔｘｔは第２画面用の表示データである。しかし、ｂｂｂ．ｔｘｔ及びｄｄｄ．ｔｘｔはａａａ．ｔｘｔ及びｃｃｃ．ｔｘｔとは異なり、どちらも別画面に表示することが可能となっている。このため、例えばテレビ装置４００の設定が、図３の「受信装置（第１画面）のみ」となっている場合、テレビ装置４００にｂｂｂ．ｔｘｔに基づいた映像とｄｄｄ．ｔｘｔに基づいた映像とを併せて表示させることができる。しかし制御部４０４は、必ずしもｂｂｂ．ｔｘｔの映像とｄｄｄ．ｔｘｔの映像を併せて表示させるよう制御しなくとも良く、これらを併せて表示するか否かは例えばユーザからの操作入力に応じて設定してもよい。
【００３７】
図４（Ｂ）の例において、出力装置情報は、図４（Ａ）とは異なり、表示データのファイル名ではなくアドレスを格納している。制御部４０４は、図４（Ｂ）の出力装置情報が入力されると、現在選局して映像を表示しているチャンネルの表示データのアドレスを抽出し、通信部４０３を用いて当該アドレスからデータを取得する。そして制御部４０４は、取得したデータを当該出力装置情報と図３の表示設定画面による表示設定とに基づいた画面に表示させる。
【００３８】
なお、図４（Ａ）及び図４（Ｂ）に示す出力装置情報は、例えば１のチャンネルにおいて番組が切り替わる毎や番組のシーンが切り替わる毎に、表示データ毎のファイル名や表示先等の内容が更新されても良い。そして放送基地局１００は、送信している番組や番組シーン毎に異なる好適な表示データを送信しても良い。
【００３９】
図５は表示データのデータ構成例を示す図である。図４では、第１画面用と第２画面用の表示データが夫々異なるファイルとなっている場合を説明したが、第１画面用と第２画面用の表示データは図５（Ａ）に示すようにひとつのファイル中に記述されていても良い。
【００４０】
図５（Ａ）に示す表示データのファイルには、第１画面用のデータＰ１と第２画面用のデータＰ２が含まれているとする。このファイルを通常のブラウザを用いて画面に表示させると、画面Ｐ１０のように表示される。このとき画面Ｐ１０には、第１画面用の画像Ｐ１１と第２画面用の画像Ｐ１２が配置される。なお画像Ｐ１２は、データＰ２に含まれるアドレスが指定するＷｅｂページの内容を示すものである。
【００４１】
そして本実施形態においては、制御部４０４は例えばｉｆｒａｍｅ要素を第２画面用の表示データの識別子として認識する。即ち制御部４０４は、入力された表示データにインラインフレームであることを示す＜ｉｆｒａｍｅ＞及び＜／ｉｆｒａｍｅ＞の文字列が含まれている場合、＜ｉｆｒａｍｅ＞と＜／ｉｆｒａｍｅ＞とに挟まれている部分を第２画面用の表示データであると判別し、第１画面用と第２画面用の表示データを分離する。
【００４２】
図５（Ｂ）は、制御部４０４により分離された第１画面用の表示データのデータ構成例と、当該表示データを用いて表示する画面の例である。図５（Ｂ）の表示データにおいてはインラインフレームの要素は削除されており、当該表示データを用いた表示画面は画面Ｐ２０のようになる。
【００４３】
図５（Ｃ）は、制御部４０４が生成した第２画面用の表示データのデータ構成例と、当該表示データを用いて表示する画面の例である。制御部４０４は、図５（Ａ）の表示データから分離・抽出したインラインフレームを用いて新たなＨＴＭＬ文書を生成し、これを第２画面用の表示データとして設定する。当該表示データにおいては、インラインフレームの枠のサイズ等が指定されているため、表示される画面Ｐ３０においては枠画像Ｐ３１の中にＷｅｂページの内容が表示される。
【００４４】
図５（Ｄ）は、制御部４０４が生成した第２画面用の表示データの他のデータ構成例と、当該表示データを用いて表示する画面の例である。制御部４０４は、図５（Ａ）の表示データから分離・抽出したインラインフレームにｓｒｃ属性が存在する場合、「ｓｒｃ＝」の文字列に続く文字列からインターネットアドレスを抽出し、当該アドレスを第２画面用の表示データとして設定する。そして表示データを用いた表示画面においては、アドレスが指定するＷｅｂページの内容が画面Ｐ４０の全体に表示される。なお、図５（Ｃ）及び図５（Ｄ）の何れの形態で表示させるかについては、ユーザの操作入力に基づいて設定することが可能である。
【００４５】
なお、ＨＴＭＬ等においては、インラインフレーム内部のスクリプトプログラムと、親ノード側のスクリプトプログラムはイベントシステムを通じて、メッセージング（データの受け渡し）が行われることがある。この場合に制御部４０４がインラインフレームを単に分離してしまうと、メッセージングができなくなることがある。このため制御部４０４は、生成する第１画面用のブラウザ部４０５向けのＨＴＭＬおよび、第２画面用のブラウザ部５０３向けのＨＴＭＬに、ブラウザ部４０５とブラウザ５０３との間でのメッセージングを補うスクリプト（ＪａｖａＳｃｒｉｐｔ（登録商標））を生成し、埋め込んでもよい。
【００４６】
図６は、テレビ装置４００の表示部４１１を第１画面及び第２画面として設定した場合の表示画面例を示す図である。図６（Ａ）に示す画面Ｒ１０においては、第１領域Ｒ１１と第２領域Ｒ１３とが配置される。第１領域Ｒ１１には、放送番組の映像と、第１画面用の表示データＲ１２とが表示される。また第２領域Ｒ１３には、第２画面用の表示データが表示される。なおテレビ装置１００は、放送番組の映像を必ずしも第１領域Ｒ１０に表示させずともよく、第２領域Ｒ１３に表示させても良い。即ち、テレビ装置４００は、ＰＳＩ／ＳＩ情報に含まれる出力装置情報が示す画面に放送番組の映像を表示させることができる。
【００４７】
図６（Ｂ）及び（Ｃ）に示す画面Ｒ２０及びＲ３０においては、第１画面と第２画面とが切り替え可能に表示され、また第１画面と第２画面とを切り替えるための切り替え画像Ｒ２１及びＲ３１が表示される。
【００４８】
なお図６においては、第１画面用の表示データとして図５（Ｂ）に示した表示データを用い、第２表示用の表示データとして図５（Ｄ）に示した表示データを用いた場合を示したが、第１及び第２画面の表示に用いる表示データの形式は他の形式であってもよい。つまり、例えば第２画面に図５（Ａ）の表示データを用いた画面を表示し、第１画面には放送番組の映像だけを表示させても良い。また第２画面の表示データとして図５（Ｄ）の形式ではなく図５（Ｄ）の形式のデータを用い、ｈｔｔｐ：／／ｗｗｗ．ｂｂｂ．ｃｏ．ｊｐのアドレスから取得されるデータに基づいた画像を第２画面に表示させても良い。そして、何れの形式の表示データを用いて表示するかについてはユーザ操作に基づいて設定できる。
【００４９】
図７は、テレビ装置４００による表示設定に係る処理フロー例を示す図である。
まず表示部４１１は、図３に示した表示設定画面を表示する（Ｓ７０１）。続いて制御部４０４は、図示しない操作受付部へのユーザからの操作入力を受け付ける（Ｓ７０２）。そして制御部４０４は、当該操作入力に基づいて、表示データの映像を表示させる装置（画面）を設定し（Ｓ７０３）、当該フローは完了する。
【００５０】
図８は、テレビ装置４００による映像データ及び表示データ受信及び映像表示に係る処理フロー例を示す図である。
まずテレビ装置４００は、表示画面に表示させるデータ（表示情報）、即ち映像データ及び表示データを受信する（Ｓ８０１）。ここでテレビ装置４００は、例えば放送信号に重畳されたデータをチューナ４０１により受信しても良いし、或いはサーバ装置２００が格納しているデータを通信部４０３により受信しても良い。ここで、テレビ装置４００は、自装置の表示設定が図３の「受信装置（第１画面）のみ」になっている場合であって（Ｓ８０２の「受信装置のみ」）、Ｓ８０１で受信したデータに第１画面用のデータが含まれている場合（Ｓ８０３のＹｅｓ）、第１画面用のデータを表示する（Ｓ８０４）。一方Ｓ８０３において第１画面用のデータが含まれていなかった場合（Ｓ８０３のＮｏ）、図８のフローは完了する。
【００５１】
また、Ｓ８０２においてテレビ装置４００は、表示設定が図３の「外部装置（第２画面）のみ」又は「受信装置と外部装置の両方」となっている場合であって（Ｓ８０２の「外部装置のみ」「受信装置と外部装置」）、Ｓ８０１で受信したデータに第２画面用のデータが含まれる場合（Ｓ８０５のＹｅｓ）、第１画面用のデータと第２画面用のデータを分離する（Ｓ８０６）。なお、ここで例えば図５に示したように、ひとつのファイル中から例えばｉｆｒａｍｅ要素に囲まれた部分を分離させて第２画面用表示データとする場合、ｉｆｒａｍｅ要素の部分が削除された第１画面用表示データのレイアウトが崩れる恐れがある。このため制御部４０４は、削除したｉｆｒａｍｅ要素の部分に対して例えばｄｉｖ要素等を挿入すること等によりレイアウトを揃えてもよい。
【００５２】
続いてテレビ装置４００は、自装置に外部装置が通信接続されているか否かを判別する（Ｓ８０７）。なおここでテレビ装置４００は、例えば予め登録している外部装置が接続されているか否かを判別しても良い。そして、外部装置が接続されている場合（Ｓ８０７のＹｅｓ）、テレビ装置４００は、第２画面用のデータを外部装置（情報端末５００）に送信する（Ｓ８０８）。そしてテレビ装置４００は、表示設定が「受信装置と外部装置の両方」の場合Ｓ８０３の処理を実行し、表示設定が「外部装置（第２画面）のみ」の場合はフローを完了させる。
【００５３】
一方、Ｓ８０７において外部装置が接続されていない場合（Ｓ８０７のＮｏ）、テレビ装置４００は、外部装置に送信できないデータを保存するか否かを選択する（Ｓ８１０）。なおテレビ装置４００は、データ保存するか否かを例えば予めユーザ操作により設定し、当該設定に基づいてＳ８１０の選択を行っても良い。そしてデータ保存する場合（Ｓ８１０のＹｅｓ）、テレビ装置４００は第２画面用のデータを記憶部４０７に記憶させ（Ｓ８１１）、そうでない場合は第２画面用のデータを破棄する（Ｓ８１２）。そしてテレビ装置４００は、第２画面用のデータを記憶した後に外部装置が接続された場合、記憶したデータを外部装置に送信しても良い。
【００５４】
なお、本フローのＳ８０８において、例えば予め登録された外部装置が接続されていない場合、テレビ装置４００は、第２画面用の画面データを図示しない通信サーバ経由で情報端末５００に送信しても良い。即ち、情報端末５００がホームネットワーク範囲外やテレビ装置４００との直接通信範囲外に位置しているものの、移動体通信等のネットワーク圏内に位置している場合では、当該移動体通信の通信サーバ経由で第２画面用のデータを送信できることが好ましい。しかしながら通信料等が発生する場合もあるため、この場合に送信するデータの形式としては、図５（Ｄ）に示したアドレス形式のように、データサイズが小さいものが好ましい。そしてこの場合にテレビ装置４００は、第２画面用のデータと情報端末５００のアドレスとを通信サーバ宛に送信する。
【００５５】
また本フローにおいては、基地局１００やサーバ装置２００等のテレビ装置外部から受けた表示データを分離してテレビ装置４００と情報端末５００とに表示させるための処理を中心に説明したが、テレビ装置４００は自装置で記憶したデータを分離し、分離したデータを別々の装置に表示させてもよい。即ち、例えば図４の（Ｂ）のように、アドレスにより表示データを指定する場合等において、当該アドレスはテレビ装置４００内のアドレスを指定してもよい。そしてこの場合に制御部４０４は、ＨＴＴＰサーバ部４０６にアドレスを送信し、当該送信に対する応答として表示データを受け取る。
【００５６】
次に図９を参照して、情報端末５００による表示データの受信及び映像表示に係るフローを説明する。
まず情報端末５００は、テレビ装置４００から送信される、映像データや表示データ等のデータ（表示情報）を受信するか否かを決定する（Ｓ９０１）。なお情報端末５００は、テレビ装置４００からデータが送信された場合にユーザに問い合わせて操作入力を受けることにより当該決定を行ってもよいし、或いは予めデータを受信するか否かを設定していても良い。
【００５７】
情報端末５００は、データを受信すると（Ｓ９０２）、続いて当該データを表示するか否かを決定する（Ｓ９０３）。そして表示すると決定した場合には（Ｓ９０３のＹｅｓ）、情報端末５００はデータを表示する（Ｓ９０４）。一方、表示しない場合（Ｓ９０３のＮｏ）、情報端末５００は、受信したデータを保存するか否かを決定する（Ｓ９０５）。そして保存すると決定した場合（Ｓ９０５のＹｅｓ）、情報端末５００は受信したデータを記憶部５０４に記憶させ（Ｓ９０６）、保存しない場合はデータを破棄する（Ｓ９０７）。
【００５８】
なお、本実施形態においては、受信装置が表示画面を備えるテレビ装置４００であるとして説明しているが、受信装置は表示画面を備えていなくともよい。即ち実施形態の受信装置は、例えばセットトップボックスのように、放送信号やネットワーク信号を受信する機能を有し、外部表示装置に映像を出力する装置であっても良い。そしてこの場合に受信装置は、例えば当該外部表示装置の表示画面を第１画面、通信接続により接続される外部装置（情報端末５００）の表示画面を第２画面として上記の実施形態の処理を実行しても良い。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１００…放送基地局、２００…サーバ装置、４００…テレビ装置、４０１…チューナ、４０２…デマルチプレクサ、４０３…通信部、４０４…制御部、４０５…ブラウザ部、４０６…ＨＴＴＰサーバ部、４０７…記憶部、４０８…映像デコード部、４０９…ＧＵＩ処理部、４１０…表示処理部、４１１…表示部、５００…情報端末、５０１…通信部、５０２…制御部、５０３…ブラウザ部、５０４…記憶部、５０５…映像デコード部、５０６…ＧＵＩ処理部、５０７…表示処理部、５０８…表示部。
【図１】
2020018020.tif 000003
【図２】
2020018020.tif 000004
【図３】
2020018020.tif 000005
【図４】
2020018020.tif 000006
【図５】
2020018020.tif 000007
【図６】
2020018020.tif 000008
【図７】
2020018020.tif 000009
【図８】
2020018020.tif 000010
【図９】
2020018020.tif 000011